(57)【特許請求の範囲】
【請求項１】
発光管と、当該発光管内に互いに対向して配置された陽極および陰極と、を有する放電ランプに電気エネルギーを供給し、当該放電ランプを点灯する放電ランプ点灯方法であって、
前記放電ランプが定常点灯していないときに、当該放電ランプを複数回短時間点灯させる短時間点灯動作を行うに際し、
前記短時間点灯動作の開始直前における前記放電ランプの状態を判定し、
判定した前記放電ランプの状態に応じて、前記短時間点灯動作で前記放電ランプに供給する電気エネルギーに関するパラメータを変化させ、
前記短時間点灯毎に、前記パラメータを徐々に増加させることを特徴とする放電ランプ点灯方法。
【請求項２】
発光管と、当該発光管内に互いに対向して配置された陽極および陰極と、を有する放電ランプに電気エネルギーを供給し、当該放電ランプを点灯する放電ランプ点灯方法であって、
前記放電ランプが定常点灯していないときに、当該放電ランプを複数回短時間点灯させる短時間点灯動作を行うに際し、
前記短時間点灯動作の開始直前における前記放電ランプの状態を判定し、
判定した前記放電ランプの状態に応じて、前記短時間点灯動作で前記放電ランプに供給する電気エネルギーに関するパラメータを変化させ、
前記短時間点灯毎に、前記パラメータを徐々に減少させることを特徴とする放電ランプ点灯方法。
【請求項３】
発光管と、当該発光管内に互いに対向して配置された陽極および陰極と、を有する放電ランプに電気エネルギーを供給し、当該放電ランプを点灯する放電ランプ点灯方法であって、
前記放電ランプが定常点灯していないときに、当該放電ランプを複数回短時間点灯させる短時間点灯動作を行うに際し、
前記短時間点灯動作の開始直前における前記放電ランプの状態を判定し、
判定した前記放電ランプの状態に応じて、前記短時間点灯動作で前記放電ランプに供給する電気エネルギーに関するパラメータを変化させ、
前記短時間点灯毎に、前記パラメータの増加と減少とを繰り返すことを特徴とする放電ランプ点灯方法。
【請求項４】
前記パラメータは、
前記電気エネルギーの大きさである電流値、電圧値及び電力値、前記電気エネルギーの供給時間、並びに前記電気エネルギーの供給周期のうち、少なくとも１つであることを特徴とする請求項１から３のいずれか１項に記載の放電ランプ点灯方法。
【請求項５】
前記放電ランプの状態は、前記陰極の温度に基づいて判定することを特徴とする請求項１〜４のいずれか１項に記載の放電ランプ点灯方法。
【請求項６】
前記放電ランプの状態は、前記陰極の磨耗度合いに基づいて判定することを特徴とする請求項１〜４のいずれか１項に記載の放電ランプ点灯方法。
【発明の詳細な説明】
【技術分野】
【０００１】
本発明は、放電ランプを点灯するための放電ランプ点灯方法に関する。
【背景技術】
【０００２】
映画館において映写機用光源として用いられる放電ランプ点灯装置として、例えば、ショートアーク型キセノン放電ランプを光源として備えた放電ランプ点灯装置がある。ショートアーク型キセノン放電ランプは、発光管と、当該発光管内に互いに対向して配置された陽極と陰極と、発光管内に封入されたキセノンガスとを有するものである。
このような放電ランプにおいては、点灯時間が経過するに伴って陰極が変形し、フリッカーが生じることがある。放電ランプの使用開始から当該フリッカーが頻繁に発生するに至るまでの時間は、フリッカー寿命とも呼ばれる。
特に映画館で用いられる放電ランプは、長時間連続して点灯する必要があることから、長いフリッカー寿命が求められる。
【０００３】
そこで、長いフリッカー寿命を得るための放電ランプ点灯装置として、特許文献１に記載の技術がある。この技術は、放電ランプが定常点灯していない休止期間において、短時間点灯動作を行うことにより、粗く荒れた状態の陰極の表面を滑らかな形状に修復するものである。陰極の表面が滑らかな形状になることで、よりフリッカーの発生が抑制され、長いフリッカー寿命が得られるというものである。
【先行技術文献】
【特許文献】
【０００４】
【特許文献１】国際公開第２０１４／０９８１２７号
【発明の概要】
【発明が解決しようとする課題】
【０００５】
しかしながら、上記特許文献１に記載の技術にあっては、短時間点灯を複数回繰り返す短時間点灯動作において、放電ランプに供給する電力の大きさや当該電力の供給時間は、各点灯について一定である。すなわち、放電ランプ（特に陰極）の状態にかかわらず制御方法は固定であり、放電ランプの状態によっては供給電力に過不足が生じ得る。
このように、短時間点灯において、一定の電力で一定の時間のパルスを繰り返す制御では、効果的に陰極表面を滑らかな形状に修復することができず、適切にフリッカーの発生を抑制できない場合がある。
そこで、本発明は、放電ランプの状態に応じた効果的な短時間点灯制御を行うことができる放電ランプ点灯方法を提供することを課題としている。
【課題を解決するための手段】
【０００６】
上記課題を解決するために、本発明に係る放電ランプ点灯方法の一態様は、発光管と、当該発光管内に互いに対向して配置された陽極および陰極と、を有する放電ランプに電気エネルギーを供給し、当該放電ランプを点灯する放電ランプ点灯方法であって、前記放電ランプが定常点灯していないときに、当該放電ランプを複数回短時間点灯させる短時間点灯動作を行うに際し、前記短時間点灯動作の開始直前における前記放電ランプの状態を判定し、判定した前記放電ランプの状態に応じて、前記短時間点灯動作で前記放電ランプに供給する電気エネルギーに関するパラメータを変化させ、前記短時間点灯毎に、前記パラメータを徐々に増加させる。
また、本発明に係る放電ランプ点灯方法の一態様は、発光管と、当該発光管内に互いに対向して配置された陽極および陰極と、を有する放電ランプに電気エネルギーを供給し、当該放電ランプを点灯する放電ランプ点灯方法であって、前記放電ランプが定常点灯していないときに、当該放電ランプを複数回短時間点灯させる短時間点灯動作を行うに際し、前記短時間点灯動作の開始直前における前記放電ランプの状態を判定し、判定した前記放電ランプの状態に応じて、前記短時間点灯動作で前記放電ランプに供給する電気エネルギーに関するパラメータを変化させ、前記短時間点灯毎に、前記パラメータを徐々に減少させる。
さらに、本発明に係る放電ランプ点灯方法の一態様は、発光管と、当該発光管内に互いに対向して配置された陽極および陰極と、を有する放電ランプに電気エネルギーを供給し、当該放電ランプを点灯する放電ランプ点灯方法であって、前記放電ランプが定常点灯していないときに、当該放電ランプを複数回短時間点灯させる短時間点灯動作を行うに際し、前記短時間点灯動作の開始直前における前記放電ランプの状態を判定し、判定した前記放電ランプの状態に応じて、前記短時間点灯動作で前記放電ランプに供給する電気エネルギーに関するパラメータを変化させ、前記短時間点灯毎に、前記パラメータの増加と減少とを繰り返す。
【０００７】
このように、放電ランプが定常点灯していない休止期間中に短時間点灯動作を行うので、粗く荒れた状態の陰極の表面を滑らかな形状に修復することができ、フリッカーの発生を抑制することができる。このとき、短時間点灯動作の開始直前に判定した放電ランプの状態に応じて、短時間点灯動作中に放電ランプに供給する電気エネルギーに関するパラメータを変化させる。したがって、放電ランプの状態に適した短時間点灯制御が可能となり、陰極の表面形状を適切に修復することができる。その結果、効果的にフリッカーの発生を抑制することができ、長いフリッカー寿命を得ることができる。
【０００９】
また、上記の放電ランプ点灯方法において、前記短時間点灯毎に、前記パラメータを徐々に増加させる。
これにより、例えば上記パラメータを、放電ランプに供給する電流値、電圧値、電力値のいずれかとした場合、短時間点灯動作において最初に過度なエネルギーを供給すべきでない場合に対応することができる。また、例えば上記パラメータを、放電ランプに供給するエネルギーの供給時間とした場合、短時間点灯動作において最初に瞬間的なエネルギー供給をすべきである場合に対応することができる。このように、放電ランプの状態に応じた適切な制御が可能となる。
【００１０】
また、上記の放電ランプ点灯方法において、前記短時間点灯毎に、前記パラメータを徐々に減少させる。
これにより、例えば上記パラメータを、放電ランプに供給する電流値、電圧値、電力値のいずれかとした場合、短時間点灯動作において最初に過度なエネルギーを供給すべきである場合に対応することができる。また、例えば上記パラメータを、放電ランプに供給するエネルギーの供給時間とした場合、短時間点灯動作において最初に瞬間的なエネルギー供給をすべきでない場合に対応することができる。このように、放電ランプの状態に応じた適切な制御が可能となる。
【００１１】
さらにまた、上記の放電ランプ点灯方法において、前記短時間点灯毎に、前記パラメータの増加と減少とを繰り返す。
これにより、放電ランプの陰極にランダムな熱振動を与えることが可能となる。このように、陰極に熱振動を与えることで、陰極内部で結晶粒間の粒界に隙間（ずれ）が生じ、放射性物質を放出し易くすることができる。したがって、良好なアーク放電特性を得ることができる。
【００１２】
また、上記の放電ランプ点灯方法において、前記パラメータは、前記電気エネルギーの大きさである電流値、電圧値及び電力値、前記電気エネルギーの供給時間、並びに前記電気エネルギーの供給周期のうち、少なくとも１つであってもよい。
このように、放電ランプの状態に応じて、供給するエネルギーの大きさや供給する長さ、供給する周期を変化させるので、供給エネルギーの過不足等を抑制し、短時間点灯の効果を十分に得ることができる。
また、上記の放電ランプ点灯方法において、前記放電ランプの状態は、前記陰極の温度に基づいて判定してもよい。
このように、陰極の温度を判定することで、短時間点灯動作を開始する時点で陰極がすでに持っているエネルギー量を考慮して、供給するエネルギー量を決定することができる。したがって、短時間点灯動作における供給エネルギーの過不足を解消し、適切な制御を行うことができる。
【００１３】
さらに、上記の放電ランプ点灯方法において、前記放電ランプの状態は、前記陰極の磨耗度合いに基づいて判定してもよい。
このように、陰極の磨耗度合いを判定することで、陰極の磨耗による当該陰極の形状の変化を考慮して、供給するエネルギー量やエネルギーの供給時間を決定することができる。したがって、短時間点灯動作において適切に陰極の温度を上昇させることができる。
【発明の効果】
【００１６】
本発明によれば、放電ランプの状態に応じた適切な短時間点灯制御を行うことができる。したがって、フリッカーの発生を効果的に抑制し、長いフリッカー寿命を得ることができる。
【図面の簡単な説明】
【００１７】
【図１】本実施形態におけるランプ点灯装置の構成例を示す図である。
【図２】放電ランプの一例を示す構成図である。
【図３】放電ランプの点灯時におけるランプ電流及びランプ電圧を示す図である。
【図４】短時間点灯方法の一例を示す図である。
【図５】短時間点灯方法の一例を示す図である。
【図６】短時間点灯方法の一例を示す図である。
【図７】短時間点灯方法の一例を示す図である。
【図８】放電ランプの温度特性を示す図である。
【図９】放電ランプの電極形状を示す図である。
【図１０】短時間点灯処理手順を示すフローチャートである。
【発明を実施するための形態】
【００１８】
以下、本発明の実施の形態を図面に基づいて説明する。
（第１の実施形態）
図１は、本実施形態におけるランプ点灯装置の構成例を示す図である。
この図１に示すように、ランプ点灯装置１０は、商用交流電源２０に接続される点灯回路３０と、点灯回路３０を制御する制御部４０とを備え、負荷としての放電ランプ５０に電力を供給することで当該放電ランプ５０を点灯する。このランプ点灯装置１０は、例えば、映画館においてデジタル映写機用の光源として用いることができる。
【００１９】
点灯回路３０は、入力回路部３１と、昇降圧回路部３２と、インバータ回路部３３と、整流回路部３４とを備える。
入力回路部３１は、遮断器、ＥＭＩ（Electromagnetic Interference）フィルター（ノイズフィルター）、突入防止回路等により構成され、商用交流電源２０に接続される。
昇降圧回路部３２は、整流器、コンデンサ、チョッパ用コイル、スイッチング素子、スイッチング素子ドライブ回路、入力電圧検出回路、出力電圧検出回路などから構成される。この昇降圧回路部３２は、整流器によって交流電源２０の交流電圧を直流電圧に変換した後、インダクタンスを使用した、所謂チョッパ―回路にて、電圧の昇圧及び降圧を行う。
【００２０】
インバータ回路部３３は、スイッチング素子からなるブリッジ回路、スイッチングドライバー回路、共振コンデンサ、絶縁トランス等により構成され、直流電源を高周波交流電源に変換する。
整流回路部３４は、整流ダイオード、リップル抑制用コイル、スナバー回路等により構成され、インバータ回路部３３で変換された高周波交流電源を直流電圧に変換する。
制御部４０は、点灯回路３０を定電力制御または定電流制御するものであり、制御回路部４１と、乗算回路部４２と、ＡＣ／ＤＣ変換部４３と、ＩＦ部４４と、時間計時部４５と、タイマ部４６とを備える。
【００２１】
制御回路部４１は、主にＣＰＵ、ＤＳＰより構成されたデジタル制御素子、その他周辺素子により構成され、昇降圧回路部３２やインバータ回路部３３のスイッチングドライバー回路を制御する。当該制御には、例えば、位相シフト型同期整流方式を採用する。
乗算回路部４２は、電圧検出センサ３５で検出したランプ電圧Ｖと、電流検出センサ３６で検出したランプ電流Ｉとを乗算してランプ電力Ｗを算出する（Ｗ＝Ｖ＊Ｉ）。
ＡＣ／ＤＣ変換部４３は、ランプ電圧Ｖ、ランプ電流Ｉ、及びランプ電圧Ｗを入力し、これらの入力アナログ信号を、例えば１２ビットデジタル信号に変換する。
【００２２】
ＩＦ部４４は、外部機器と通信可能な回路であり、当該外部機器との間で情報の入出力を行う。例えば、ＩＦ部は、放電ランプ５０の点灯を開始するためのランプ点灯信号（起動信号）や、放電ランプ５０を消灯するためのランプ消灯信号等を、外部機器から入力する。このＩＦ部４４は、デジタルＩ／Ｏ、通信回路等により構成される。
時間計時部４５は、制御回路部４１で実施する位相変調制御で用いるパルス信号のＯＮ時間及びＯＦＦ時間を制御するための基準信号を生成し、これを制御回路部４１へ出力する。
【００２３】
タイマ部４６は、放電ランプ５０の総点灯時間や、放電ランプ５０が消灯してからの時間などを計測し、これらの計測時間を記憶すると共に制御回路部４１へ出力する。
放電ランプ５０は、例えば、ショートアーク型キセノン放電ランプである。
この放電ランプ５０は、図２に示すように、石英ガラス等により構成される楕円球形状の発光管５１を備える。発光管５１の両端には、管軸に沿って外方に伸びる円筒状の電極支持部５２ａ及び５２ｂが連設されている。また、電極支持部５２ａ及び５２ｂの各々の外端には、当該電極支持部５２ａ及び５２ｂよりも大きい外径を有する封止管５３ａ及び５３ｂが連設されている。
【００２４】
発光管５１の内部には放電空間が形成されており、キセノン（Ｘｅ）ガスを含む発光ガスが封入されている。また、発光管５１内には、互いに対向する一対の電極（陽極５４ａと陰極５４ｂ）が配置されている。これら電極５４ａ及び５４ｂは、高融点金属、例えばタングステンにより構成されている。
陽極５４ａから管軸にそって外方に伸びる電極棒５５ａは、封止管５３ａの端部から外部に導出されている。この電極棒５５ａは、封止管５３ａの端部において、段継ぎガラスなどの手段により封着（ロッドシール）されている。同様に、陰極５４ｂから管軸に沿って外方に伸びる電極棒５５ｂは、封止管５３ｂの端部から外部に導出されている。この電極棒５５ｂは、封止管５３ｂの端部において、段継ぎガラスなどの手段により封着（ロッドシール）されている。
【００２５】
さらに、電極棒５５ａ，５５ｂにおける電極支持部５２ａ，５２ｂに位置する部分の周面には、それぞれ円筒状のガラス部材５６ａ，５６ｂが設けられている。電極棒５５ａ，５５ｂは、このガラス部材５６ａ，５６ｂを介して電極支持部５２ａ，５２ｂに支持されている。
図３は、放電ランプ５０の点灯時におけるランプ電流Ｉ及びランプ電圧Ｖを示す図である。
放電ランプ５０を点灯させる場合には、先ず、放電ランプ５０に開放電圧と呼ばれる定格電圧（例えば４０Ｖ程度）よりも高い電圧（例えば１００Ｖ程度）を印加した状態で、外部イグナイタよりランプ端子間に高電圧を印加する。これにより、放電空間内に絶縁破壊を発生させて放電路を形成する（時刻ｔ１）。絶縁破壊が発生すると、放電ランプ５０に対して突入電流を流し（時刻ｔ２）、グロー放電を経てアーク放電に移行させる。その後は、アーク放電を安定して維持するように制御（一定電流制御）する。これにより、定常点灯が達成される（時刻ｔ３以降）。なお、絶縁破壊が発生してから定常点灯が達成されるまでに要する時間（時刻ｔ１〜時刻ｔ３）は、例えば２０ｍ秒程度である。
【００２６】
本実施形態では、制御部４０は、放電ランプ５０の定常点灯制御を行うと共に、放電ランプ５０が定常点灯していない休止期間において、放電ランプ５０を少なくとも１回以上短時間点灯させる短時間点灯制御を行う。
このように、放電ランプ５０が定常点灯していないときに短時間点灯動作を実行することにより、放電ランプ５０を長時間点灯させた場合でも、放電ランプ５０のフリッカーの発生を抑制し、長いフリッカー寿命が得られる。
【００２７】
放電ランプ５０を長時間点灯させると、消灯直後において、陰極５４ｂの表面形状は粗く荒れた状態となる。このように、陰極５４ｂの表面が荒れた状態であると、放電ランプ５０の点灯時に電極間のアークの揺れが生じ、フリッカーが発生する。ところが、陰極５４ｂの表面が荒れた状態で、放電ランプ５０に対して短時間点灯動作を行うと、点灯の熱によって陰極５４ｂの表面が溶融して滑らかな形状となる。そのため、上記のフリッカーの発生を抑制することができる。また、陰極５４ｂの表面が滑らかな形状に修復されると、放電ランプ５０の点灯始動時において、円滑で速やかな始動オペレーションが可能となり、点灯始動時における陰極５４ｂの消耗を抑制することができる。
【００２８】
ここで、短時間点灯の１回の点灯時間は、例えば０．５秒間〜１．０秒間に設定する。１回の点灯時間が０．１秒間未満であると、陰極５４ｂの温度が十分に上昇せずに先端の活性化がなされない。また、１回の点灯時間が５秒間を超えると、活性化された陰極５４ｂの先端が改めて非活性の方向に進み、十分な短時間点灯の効果を得ることができない。そのため、１回の点灯時間は、０．１秒間〜５．０秒間の範囲内に設定することが好ましい。このように、短時間点灯動作は、数時間にも及び得る定常点灯と比較して十分に短い時間点灯する動作である。
【００２９】
また、点灯回数が複数回である場合、一の短時間点灯が終了してから後続の短時間点灯が開始するまでのオフ時間は、例えば１秒間に設定する。オフ時間が１秒間未満であると、陰極５４ｂの温度が十分に下がりきらず、次の短時間点灯時に十分な熱衝撃が得られない。そのため、オフ時間は、少なくとも１秒間に設定することが好ましい。さらに、点灯回数は、例えば５回〜６回に設定する。
【００３０】
また、放電ランプ５０の短時間点灯動作は、放電ランプ５０が定常点灯していない休止期間中であれば、任意のタイミングで実行することができる。例えば、短時間点灯動作は、休止期間中における定常点灯の始動直前に実行されてもよいし、定常点灯の停止直後に実行されてもよい。さらに、短時間点灯動作は、必ずしも休止期間毎に実行される必要はなく、例えば、休止期間２回につき１回の短時間点灯動作が実行されてもよい。
【００３１】
上記の短時間点灯動作は、パルス状のエネルギーを放電ランプ５０に供給することにより実行する。このパルス信号は、点灯回路３０及び制御部４０の動作によって、放電ランプ５０の定常点灯と同様のプロセスで放電ランプ５０に供給される。ここで、放電ランプ５０に供給されるエネルギーは、ランプ電流、ランプ電圧、及びランプ電力のいずれかによって規定されるものである。
【００３２】
本実施形態では、上記フリッカーの発生をより効果的に抑制するために、放電ランプ５０の状態に応じて、短時間点灯動作における制御方法を変更する。具体的には、放電ランプ５０の状態に応じて、短時間点灯動作において放電ランプ５０に供給するエネルギー量（電流値、電圧値、電力値）、エネルギーの供給時間、及びエネルギーの供給周期の要素のうち、少なくとも１つを変化させる。また、放電ランプ５０の状態としては、電極（陰極５４ｂ）の温度や電極（陰極５４ｂ）の磨耗度合いを判定する。
【００３３】
短時間点灯動作の制御例としては、例えば図４に示すように、放電ランプ５０に供給するパルス電流（または電圧、電力）を段階的に変化（増加または減少）させる方法がある。図４（ａ）に示すように、パルス電流（または電圧、電力）を段階的に増加させる場合、パルス電流が初期電流Ｉ１から所定の到達電流Ｉ２に達するまで、電流ΔＩずつ増加させる。
ΔＩ＝初期電流Ｉ１＋｜到達電流Ｉ２−初期電流Ｉ１｜／Ｎ  ………（１）
なお、上記（１）において、Ｎはパルス回数である。
同様に、図４（ｂ）に示すように、パルス電流（または電圧、電力）を段階的に減少させる場合には、パルス電流が初期電流Ｉ１から所定の到達電流Ｉ２に達するまで、上記電流ΔＩずつ減少させる。
【００３４】
短時間点灯動作の別の制御例としては、例えば図５に示すように、放電ランプ５０に供給するパルス電流（または電圧、電力）のパルス幅やパルス周期を段階的に変化（増加または減少）させる方法がある。図５（ａ）に示すように、パルス電流（または電圧、電力）のパルス幅を段階的に増加させる場合、パルス幅が初期時間（初期パルス幅）Ｔ１から所定の到達時間（到達パルス幅）Ｔ２に達するまで、時間ΔＴずつ増加させる。
ΔＴ＝初期時間Ｔ１＋｜到達時間Ｔ２−初期時間Ｔ１｜／Ｎ  ………（２）
同様に、図５（ｂ）に示すように、パルス電流（または電圧、電力）のパルス幅を段階的に減少させる場合には、パルス幅が初期時間Ｔ１から所定の到達時間Ｔ２に達するまで、上記時間ΔＴずつ減少させる。パルス周期を変化させる場合にも同様である。
【００３５】
さらに、短時間点灯動作の別の制御例としては、例えば図６に示すように、パルス電流（または電圧、電力）を、増加と減少とが繰り返されるように変化させてもよいし、図７に示すように、パルス幅を、増加と減少とが繰り返されるように変化させてもよい。なお、上記の増加と減少とは、ランダムに組み合わせて変化させてもよい。また、パルス電流（または電圧、電力）の増減とパルス幅の増減とを組み合わせてもよい。このとき、一回の短時間点灯動作において放電ランプ５０に供給するトータルエネルギーを考慮して、短時間点灯動作中の各パルスの波高値やパルス幅等の変化方法を決定してもよい。
図８は、放電ランプ５０を消灯した後の陰極５４ｂの温度変化を示す温度特性図である。
【００３６】
本実施形態における放電ランプ５０の陰極５０は、タングステン（Ｗ）からなる本体部と、タングステン（Ｗ）に酸化トリウム（ＴｈＯ2）が含有されたトリエーテッドタングステンからなる先端部とにより構成され、放電ランプ５０に６ｋＷ〜８ｋＷの電力を印加して当該放電ランプ５０を点灯したとき、陰極５０の温度は３０００℃近くに達する。そして、放電ランプ５０を消灯した後は、陰極５０の温度は１秒程度で２０００℃近くまで低下し、その後は数時間かけて室温（２０℃程度）まで低下する。このように、放電ランプ５０の陰極５４ｂの温度は大きく変動し得る。
【００３７】
短時間点灯動作は、上述したように、点灯時の熱によって陰極５４ｂの表面を溶融して滑らかな形状とすることを目的としている。したがって、陰極５４ｂがほぼ室温まで冷えている場合には、短時間点灯動作において、比較的大きなエネルギーを供給して陰極５４ｂの温度を上昇させる必要がある。ところが、陰極５４ｂが比較的高温である場合（例えば８００℃である場合）に、短時間点灯動作において、陰極５４ｂが十分に冷えている場合（ほぼ室温である場合）と同じエネルギーを供給すると、陰極５４ｂの温度が上昇しすぎてしまい、表面形状が所望の形状とならないおそれがある。
【００３８】
そこで、本実施形態では、短時間点灯動作開始時における陰極５４ｂの温度が高いほど、短時間点灯動作において最初に供給するエネルギー量を小さくする。
例えば、放電ランプ５０の陰極５４ｂの温度が高い場合には、短時間点灯動作において、最初に電極（陰極５４ｂ）に定常点灯のエネルギーよりも低いエネルギーを供給し、その後、供給するエネルギーを段階的に増加させる。逆に、放電ランプ５０の陰極５４ｂが十分に冷えている（ほぼ室温である）場合には、短時間点灯動作において、最初に電極（陰極５４ｂ）に定常点灯のエネルギーよりも大きなエネルギーを供給し、その後、供給するエネルギーを段階的に減少させる。
ここで、陰極５４ｂの温度は、タイマ部４６に記憶された放電ランプ５０を消灯してからの時間に基づいて、予め記憶した図８に示すような温度特性をもとに判定する。
【００３９】
また、放電ランプ５０の陰極５４ｂは、点灯時間が長いほど先端部が磨耗する。図９は、放電ランプ５０の電極形状を示す図であり、図９（ａ）は磨耗していない新しい放電ランプ５０、図９（ｂ）は長時間点灯して磨耗した古い放電ランプ５０の電極の形状をそれぞれ示している。
このように、陰極５４ｂは先端へ向けて細くなるテーパ形状を有し、先端の磨耗度合いが高いほど放電部分の表面積は広くなる。そのため、磨耗した古い放電ランプ５０において、短時間点灯動作にて瞬間的にエネルギーを供給しても、一部分の温度しか上昇せず、表面形状が所望の形状とならないおそれがある。
【００４０】
そこで、本実施形態では、短時間点灯動作開始時における陰極５４ｂの磨耗度合いが高いほど、短時間点灯動作において最初に供給するエネルギーの供給時間を長くする。
例えば、放電ランプ５０の陰極５４ｂの磨耗度合いが高い場合には、短時間点灯動作において、最初に電極（陰極５４ｂ）に供給するエネルギーの供給時間を、磨耗が発生していない場合と比較して長くし、その後、供給時間を段階的に減少させる。逆に、磨耗度合いが低い場合には、短時間点灯動作において、短時間で過度のエネルギーを供給しても問題ないため、最初に供給するエネルギーの供給時間を比較的短くする。
【００４１】
また、放電ランプ５０の陰極５４ｂの磨耗度合いが高い場合には、磨耗度合いが低い場合と比較して、短時間点灯動作において、最初に電極（陰極５４ｂ）に供給するエネルギー量を小さくする。すなわち、時間をかけて放電ランプ５０に低いエネルギーを供給する。これにより、陰極５４ｂの先端部全体の温度を均一に上昇させることができる。
ここで、陰極５４ｂの磨耗度合いは、タイマ部４６に記憶された放電ランプ５０の総点灯時間に基づいて判定する。
【００４２】
なお、ここでは陰極５４ｂの状態に応じて、短時間点灯動作において放電ランプ５０に供給するエネルギー量、エネルギー供給時間を変化させる場合について説明したが、エネルギーの供給回数、即ちパルス回数Ｎを変化させることもできる。例えば、陰極５４ｂの磨耗度合いが高いほど、陰極５４ｂの表面形状の修復に時間を要するとして、パルス回数Ｎを大きく設定してもよい。
【００４３】
次に、放電ランプ５０の点灯処理手順について詳細に説明する。
図１０は、放電ランプ５０の点灯処理手順を示すフローチャートである。この点灯処理は、例えば制御回路部４１で実行される。
先ずステップＳ１で、制御回路部４１は、ＩＦ部４４から放電ランプ５０の起動信号（点灯信号）を取得する処理を行い、ステップＳ２に移行する。
ステップＳ２では、制御回路部４１は、ステップＳ１で取得した起動信号が放電ランプ５０の点灯を指示するオン状態であるか否かを判定する。そして、起動信号がオフ状態である場合にはステップＳ１に戻り、起動信号がオン状態である場合にはステップＳ３に移行する。
【００４４】
ステップＳ３では、制御回路部４１は、今回の点灯が初めての点灯か否か（点灯履歴があるか否か）を判定する。例えば、タイマ部４６に記憶された放電ランプ５０の総点灯時間を読み出し、当該総点灯時間が０である場合には初めての点灯であると判断して後述するステップＳ８に移行する。一方、総点灯時間が０以外である場合には、点灯履歴があるものと判断してステップＳ４に移行する。
ステップＳ４では、制御回路部４１は、放電ランプ５０の状態を判定する。本実施形態では、放電ランプ５０の状態として、電極（陰極５４ｂ）の状態（温度、磨耗度合い）を判定する。すなわち、このステップＳ４では、タイマ部４６に記憶された放電ランプ５０が前回消灯してからの経過時間、及び放電ランプ５０の総点灯時間を取得する。そして、消灯してからの経過時間に基づいて陰極５４ｂの温度を判定し、総点灯時間に基づいて陰極５４ｂの磨耗度合いを判定する。
【００４５】
次にステップＳ５では、制御回路部４１は、ステップＳ４で判定した放電ランプ５０の状態に基づいて、短時間点灯動作のモード（短時間点灯モード）を決定する。ここで、短時間点灯モードとは、上述した初期電流Ｉ１、到達電流Ｉ２、初期時間Ｔ１、到達時間Ｔ２、及びパルス回数Ｎなどの各種パラメータによって規定されるものである。すなわち、短時間点灯モードの決定処理とは、最初の短時間点灯の電流（または電圧、電力）の値、短時間点灯の繰り返し回数、電流値（または電圧値、電力値）を増加させていくのか、減少させていくのか、増加と減少を複合させるのか、さらに、最初の短時間点灯の時間の幅、時間の幅を増加させていくのか、減少させていくのか、増加と減少を複合させるのかなどの事項を決定する処理である。
【００４６】
このステップＳ５で、陰極５４ｂの温度及び磨耗度合いに応じた短時間点灯モードを決定すると、ステップＳ６に移行し、制御回路部４１は、ステップＳ５で決定した短時間点灯モードに基づいて、短時間点灯動作を行う。
ステップＳ７では、制御回路部４１は、短時間点灯動作を終了するか否かを判定する。ここでは、例えば、短時間点灯の繰り返し回数が設定したパルス回数Ｎに達したか否かを判定することで、短時間点灯動作を終了するか否かを判定する。そして、パルス回数Ｎに達していない場合には、短時間点灯動作を継続すると判断してステップＳ６に戻り、パルス回数Ｎに達している場合には、短時間点灯動作を終了すると判断してステップＳ８に移行する。
【００４７】
ステップＳ８では、制御回路部４１は、上述した放電ランプ５０の定常点灯動作を行い、ステップＳ９に移行する。
ステップＳ９では、制御回路部４１は、ＩＦ部４４から放電ランプ５０の消灯信号を受信したか否かを判定する。そして、消灯信号の受信を確認していない場合には、定常点灯動作を継続すると判断してステップＳ８に戻り、消灯信号の受信を確認した場合には、定常点灯動作を終了すると判断してステップＳ１０に移行する。
【００４８】
ステップＳ１０では、制御回路部４１は、放電ランプ５０を消灯し、当該放電ランプ５０が消灯してからの経過時間を計測するための消灯タイマのカウントを開始する。
ステップＳ１１では、制御回路部４１は、放電ランプ５０の点灯処理を終了するか否かを判定し、点灯処理を継続する場合にはステップＳ１に戻り、点灯処理を終了すると判断した場合にはそのまま点灯処理を終了する。
なお、この図１０に示す点灯処理は、放電ランプ５０の定常点灯動作の直前に短時間点灯動作を行う例である。但し、例えば、放電ランプ５０の消灯後（定常点灯動作終了後）に短時間点灯動作を行う場合の点灯処理についても、基本的には図１０と同様である。
【００４９】
また、ここでは、放電ランプ５０の総点灯時間や、前回消灯してからの経過時間に基づいて、制御回路部４１が短時間点灯モードを設定する場合について説明したが、これに限定されるものではない。例えば、短時間点灯モードとして、放電ランプ５０の総点灯時間や、前回消灯してからの経過時間に基づいた種々のパターンを実験により求めておき、予め制御回路部４１が記憶しておいてもよい。この場合、制御回路部４１は、放電ランプ５０の総点灯時間や前回消灯してからの経過時間に対応した短時間点灯モードを読み出すだけでよく、処理工数を削減することができる。
【００５０】
以上のように、本実施形態では、短時間点灯動作の開始直前に放電ランプ５０の状態を判定し、判定した放電ランプ５０の状態に応じて、短時間点灯動作中に放電ランプ５０に供給する電気エネルギーに関するパラメータ（エネルギー供給量、エネルギー供給時間、エネルギー供給回数等）を変化させる。したがって、放電ランプ５０の状態に適した短時間点灯制御が可能となり、陰極の表面形状を適切に修復することができる。その結果、適切にフリッカーの発生を抑制し、長いフリッカー寿命を得ることができる。
【００５１】
このとき、短時間点灯動作中に上記のパラメータを徐々に増加させれば、例えば、短時間点灯動作において最初に過度なエネルギーを供給すべきでない場合や、最初に瞬間的なエネルギー供給をすべきである場合に対応することができる。逆に、上記のパラメータを徐々に減少させれば、例えば、短時間点灯動作において最初に過度なエネルギーを供給すべきである場合や、最初に瞬間的なエネルギー供給をすべきでない場合に対応することができる。
【００５２】
また、短時間点灯動作の開始直前に、陰極５４ｂの温度に基づいて放電ランプ５０の状態を判定するので、短時間点灯動作を開始する時点で陰極５４ｂがすでに持っているエネルギー量を考慮して、供給するエネルギー量を決定することができる。したがって、短時間点灯動作における供給エネルギーの過不足を解消し、適切な制御を行うことができる。
さらに、陰極５４ｂの温度は、放電ランプ５０を消灯してからの経過時間をもとに推定するので、温度センサ等を設置する必要がない。このように、比較的簡易に放電ランプ５０の状態を判定することができる。
【００５３】
また、短時間点灯動作の開始直前に、陰極５４ｂの磨耗度合いに基づいて放電ランプ５０の状態を判定するので、陰極５４ｂの磨耗による当該陰極５４ｂの形状の変化を考慮して、供給するエネルギー量やエネルギーの供給時間を決定することができる。したがって、短時間点灯動作において適切に陰極５４ｂの温度を上昇させることができる。
さらに、陰極５４ｂの磨耗度合いは、放電ランプ５０の総点灯時間をもとに推定するので、比較的簡易に放電ランプ５０の状態を判定することができる。
【００５４】
（変形例）
本実施形態における放電ランプ５０の陰極５４ｂは、上述したようにタングステンからなる本体部と、トリエーテッドタングステンからなる先端部により構成されている。陰極５４ｂの先端部に含有された酸化トリウムは、ランプ点灯中、陰極５４ｂが高温になることで還元され、トリウム原子となる。陰極５４ｂの内部で還元されて生成されたトリウム原子は、タングステン結晶粒間の粒界拡散によって陰極５４ｂ表面に運ばれ、陰極５４ｂの中でも更に温度が高い先端側に移動して蒸発する。このとき大きなエミッションが得られ、良好なアーク放電特性が得られる。
【００５５】
トリエーテッドタングステン電極は多結晶構造であり、互いに隣接する単結晶間に結晶粒界が存在するが、温度を上昇させると２次結晶が起こり（場合によっては融合し）、この結晶粒界が減少する。結晶粒界が減少すると、トリエーテッドタングステンの仕事関数の低下が阻害され、電極表面から原子が放出しにくくなる。
短時間点灯動作において、図６及び図７に示すように、陰極５４ｂにランダムな熱振動を与えると、陰極５４ｂ内部で上記の結晶粒界の減少が抑制され、放射性物質が放出し易くなる。したがって、より良好なアーク放電特性を得ることを目的として、短時間点灯動作を実施してもよい。
短時間点灯動作において放電ランプ５０に供給するエネルギーを調整することで、上述した陰極５４ｂの表面修復によるフリッカーの抑制と、上記の良好なアーク放電特性の実現とを両立することも可能である。
【符号の説明】
【００５６】
１０…ランプ点灯装置、２０…交流電源、３０…点灯回路、３１…入力回路部、３２…昇降圧回路部、３３…インバータ回路部、３４…整流回路部、４０…制御部、４１…制御回路部、４２…乗算回路部、４３…ＡＣ／ＤＣ変換部（ＡＤＣ回路部）、４４…ＩＦ部、４５…時間計時部、４６…タイマ部、５０…放電ランプ、５１…発光管、５２ａ，５２ｂ…電極支持部、５３ａ，５３ｂ…封止管、５４ａ…陽極、５４ｂ…陰極、５５ａ，５５ｂ…電極棒、５６ａ，５６ｂ…ガラス部材
【図１】
0006443037.tif 000002
【図２】
0006443037.tif 000003
【図３】
0006443037.tif 000004
【図４】
0006443037.tif 000005
【図５】
0006443037.tif 000006
【図６】
0006443037.tif 000007
【図７】
0006443037.tif 000008
【図８】
0006443037.tif 000009
【図９】
0006443037.tif 000010
【図１０】
0006443037.tif 000011